【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
出力電圧を生成するための、スイッチング段を含む電圧レギュレータであって、前記電圧レギュレータは、前記スイッチング段を制御するためのフィードバック経路を備え、ここでは、前記フィードバック経路におけるフィードバック信号が、ランプ補償され、前記ランプ補償のための前記ランプは、前記スイッチング段の出力から生成され、前記フィードバック信号は、前記スイッチング段の前記出力に流入する前記電流の表現にランプ補償を適用することで生成され、前記スイッチング段に接続された第１の端子と、電圧に接続された第２の端子とを有するインダクタと、前記インダクタ全体に並列に接続された、直列接続した第１の抵抗器及び第１のキャパシタとが設けられており、ここにおいて、前記スイッチング段の前記出力に流入する前記電流の前記表現は、前記第１のキャパシタ全体の電圧差を測定することで取得される、電圧レギュレータ。
【請求項２】
前記インダクタの前記第２の端子に接続された第１の端子を有する第２のキャパシタと、前記第２のキャパシタの前記第２の端子に接続された第１の端子を有する第２の抵抗器とが設けられており、前記第２のキャパシタ及び前記第２の抵抗器は、スロープ信号を生成するためのものである、請求項１に記載の電圧レギュレータ。
【請求項３】
前記第１の抵抗器と前記第１のキャパシタとの間の前記接続点に接続された第１の入力と、前記第２のキャパシタと前記第２の抵抗器との間に前記接続点に接続された第２の入力とを有するフィードバックコンパレータが設けられており、前記コンパレータの前記出力は、前記フィードバック信号を生成し、望ましくは、前記第２のキャパシタと並列に接続されたスイッチが設けられており、ここにおいて、前記スイッチが閉じているとき、前記コンパレータは、前記インダクタに流入する前記電流を表すフィードバック信号を供給し、前記スイッチが開いているとき、前記コンパレータは、前記ランプ補償済みのフィードバック信号を生成し、前記スイッチは、望ましくは、前記スイッチング段の前記出力が電気的接地に接続されるときに前記スイッチが閉じられ、前記スイッチャブロックの前記出力が電気的接地に接続されないときに前記スイッチが開けられるように制御される、請求項２に記載の電圧レギュレータ。
【請求項４】
比較電圧（ＶＣＯＭＰ）を供給するために前記出力電圧を基準電圧（ＶＲＥＦ）と比較するための第１のコンパレータと、前記比較電圧を前記ランプ補償済みのフィードバックと比較することと、前記スイッチング段に制御入力を供給することとを行うための第２のコンパレータとを更に備える、請求項１乃至３のうちのいずれか一項に記載の電圧レギュレータ。
【請求項５】
線形増幅器及び電力増幅器と、前記電力増幅器は、増幅されることとなる信号を受けるためのものであり、前記線形増幅器は、増幅されることとなる前記信号のエンベロープ（ＶＥＮＶ）を受けるものである、前記線形増幅器の前記出力と前記インダクタの前記第２の端子との間に接続された第３のキャパシタと、前記インダクタの前記第２の端子は、前記電力増幅器の電源入力に接続されている、前記第３のキャパシタ全体に並列に接続されており、前記フィストコンパレータに接続された出力を有する第３のコンパレータとを更に含み、ここにおいて、前記基準電圧は、前記第３のキャパシタ全体に生じることとなる所望の電圧を示す、請求項４に記載の電圧ジェネレータ。
【請求項６】
前記スイッチング段の電源入力に接続された電圧源が設けられている、前記第２の抵抗器の前記第２の端子は、電気的接地に接続され、出力電圧は、前記インダクタの前記第２の端子において接続された負荷において形成される、請求項のうちのいずれか一項に記載の電圧ジェネレータを備える、請求項１乃至３のうちのいずれか一項に記載の電圧レギュレータを含む被調整降圧回路。
【請求項７】
電源電圧が前記第２の端子に接続され、前記第２の抵抗器の前記第２の端子が、前記スイッチング段の電源入力に接続され、出力電圧が、前記スイッチング段の前記電源入力に接続された負荷に形成される、請求項１乃至３のうちのいずれか一項に記載の電圧レギュレータを含み被調整昇圧回路。
【請求項８】
出力電圧を生成するためのスイッチング段を含む、電圧レギュレータのための方法であって、前記方法は、フィードバック経路で前記スイッチング段を制御することと、前記フィードバック経路においてフィードバック信号をランプ補償することとを備え、前記ランプ補償は、前記スイッチング段の出力に基づき、前記フィードバック信号は、前記スイッチング段の前記出力に流入する前記電流の表現にランプ補償を適用することで生成され、前記スイッチング段に接続された第１の端子と、電圧に接続された第２の端子とを有するインダクタと、前記インダクタ全体に並列に接続された、直列接続した第１の抵抗器及び第１のキャパシタとが設けられおり、ここにおいて、前記スイッチング段の前記出力に流入する前記電流の前記表現は、前記第１のキャパシタ全体の電圧差を測定することで取得される、方法。
【請求項９】
前記インダクタの前記第２の端子に接続された第１の端子を有する第２のキャパシタと、前記第２のキャパシタの前記第２の端子に接続された第１の端子を有する第２の抵抗器とが設けられており、前記第２のキャパシタ及び前記第２の抵抗器は、スロープ信号を生成するためのものであり、望ましくは、前記第１の抵抗器と前記第１のキャパシタとの間の前記接続点に接続された第１の入力と、前記第２のキャパシタと前記第２の抵抗器との間に前記接続点に接続された第２の入力とを有するフィードバックコンパレータが設けられており、前記コンパレータの前記出力は、前記フィードバック信号を生成し、望ましくは、前記第２のキャパシタと並列に接続されたスイッチが設けられており、ここにおいて、前記スイッチが閉じているとき、前記コンパレータは、前記インダクタに流入する前記電流を表すフィードバック信号を供給し、前記スイッチが開いているとき、前記コンパレータは、前記ランプ補償済みのフィードバック信号を生成し、前記スイッチは、望ましくは、前記スイッチング段の前記出力が電気的接地に接続されるときに前記スイッチが閉じられ、前記スイッチャブロックの前記出力が電気的接地に接続されないときに前記スイッチが開けられるように制御される、請求項１７に記載の方法。
【請求項１０】
比較電圧（ＶＣＯＭＰ）を供給するために前記出力電圧を基準電圧（ＶＲＥＦ）と比較するための第１のコンパレータと、前記比較電圧を前記ランプ補償済みのフィードバックと比較することと、前記スイッチング段に制御入力を供給することとを行うための第２のコンパレータとを更に備える、請求項８乃至９のうちのいずれか一項に記載の方法。
【請求項１１】
線形増幅器及び電力増幅器と、前記電力増幅器は、増幅されることとなる信号を受けるためのものであり、前記線形増幅器は、増幅されることとなる前記信号のエンベロープ（ＶＥＮＶ）を受けるものである、前記線形増幅器の前記出力と前記インダクタの前記第２の端子との間に接続された第３のキャパシタと、前記インダクタの前記第２の端子は、前記電力増幅器の電源入力に接続されている前記第３のキャパシタ全体に並列に接続されており、前記フィストコンパレータに接続された出力を有する第３のコンパレータとを更に含み、ここにおいて、前記基準電圧は、前記第３のキャパシタ全体に生じることとなる所望の電圧を示す、請求項１０に記載の方法。
【請求項１２】
前記スイッチング段の電源入力に接続された電圧源が設けられている、前記第２の抵抗器の前記第２の端子は、電気的接地に接続され、出力電圧は、前記インダクタの前記第２の端子において接続された負荷において形成される、請求項のうちのいずれか一項に記載の電圧ジェネレータを備える、請求項８乃至９のうちのいずれか一項に記載の電圧レギュレータを含む被調整降圧回路。
【請求項１３】
電源電圧が前記第２の端子に接続され、前記第２の抵抗器の前記第２の端子が、前記スイッチング段の電源入力に接続され、出力電圧が、前記スイッチング段の前記電源入力において接続された負荷において形成される、請求項８乃至９のうちのいずれか一項に記載の電圧レギュレータを含み被調整昇圧回路。
【手続補正２】
【補正対象書類名】明細書
【補正対象項目名】０１０３
【補正方法】変更
【補正の内容】
【０１０３】
本発明は、特定の例を参照して説明されているが、任意の例の詳細に限定されず、別の詳細との組み合わせでのみ使用される例の任意の詳細に限定されることなどない。例の態様は、別々に又は組み合わせて、本発明で使用され得る。
以下に、本願出願の当初の特許請求の範囲に記載された発明を付記する。
［Ｃ１］
出力電圧を生成するための、スイッチング段を含む電圧レギュレータであって、前記電圧レギュレータは、前記スイッチング段を制御するためのフィードバック経路を備え、ここでは、前記フィードバック経路におけるフィードバック信号が、ランプ補償され、前記ランプ補償のための前記ランプは、前記スイッチング段の出力から生成される、電圧レギュレータ。
［Ｃ２］
前記フィードバック信号は、前記スイッチング段の前記出力に流入する前記電流の表現にランプ補償を適用することで生成される、
［Ｃ１］に記載の電圧レギュレータ。
［Ｃ３］
前記スイッチング段に接続された第１の端子と、電圧に接続された第２の端子とを有するインダクタと、前記インダクタ全体に並列に接続された、直列接続した第１の抵抗器及び第１のキャパシタとが設けられており、ここにおいて、前記スイッチング段の前記出力に流入する前記電流の前記表現は、前記第１のキャパシタ全体の電圧差を測定することで取得される、［Ｃ２］に記載の電圧レギュレータ。
［Ｃ４］
前記インダクタの前記第２の端子に接続された第１の端子を有する第２のキャパシタと、前記第２のキャパシタの前記第２の端子に接続された第１の端子を有する第２の抵抗器とが設けられており、前記第２のキャパシタ及び前記第２の抵抗器は、スロープ信号を生成するためのものである、［Ｃ３］に記載の電圧レギュレータ。
［Ｃ５］
前記第１の抵抗器と前記第１のキャパシタとの間の前記接続点に接続された第１の入力と、前記第２のキャパシタと前記第２の抵抗器との間に前記接続点に接続された第２の入力とを有するフィードバックコンパレータが設けられており、前記コンパレータの前記出力は、前記フィードバック信号を生成する、［Ｃ４］に記載の電圧レギュレータ。
［Ｃ６］
前記第２のキャパシタと並列に接続されたスイッチが設けられており、ここにおいて、前記スイッチが開いているとき、前記コンパレータは、前記インダクタに流入する前記電流を表すフィードバック信号を供給し、前記スイッチが開いているとき、前記コンパレータは、前記ランプ補償済みのフィードバック信号を生成する、［Ｃ５］に記載の電圧レギュレータ。
［Ｃ７］
前記スイッチは、前記スイッチャブロックの前記出力が電気的接地に接続されるときに前記スイッチが閉じられ、前記スイッチャブロックの前記出力が電気的接地に接続されないときに前記スイッチが開けられるように制御される、［Ｃ６］に記載の電圧レギュレータ。
［Ｃ８］
比較電圧を供給するために前記出力電圧を基準電圧と比較するための第１のコンパレータと、前記比較電圧を前記ランプ補償済みのフィードバックと比較することと、前記スイッチング段に制御入力を供給することとを行うための第２のコンパレータとを更に備える、［Ｃ１］乃至［Ｃ７］のうちのいずれか一項に記載の電圧レギュレータ。
［Ｃ９］
線形増幅器及び電力増幅器と、前記電力増幅器は、増幅されることとなる信号を受けるためのものであり、前記線形増幅器は、増幅されることとなる前記信号のエンベロープを受けるものである、前記線形増幅器の前記出力と前記インダクタの前記第２の端子との間に接続された第３のキャパシタと、前記インダクタの前記第２の端子は、前記電力増幅器の電源入力に接続されている、前記キャパシタ全体に並列に接続されており、前記フィストコンパレータに接続された出力を有する第３のコンパレータとを更に含み、ここにおいて、前記基準電圧は、前記第３のキャパシタ全体に生じることとなる所望の電圧を示す、［Ｃ８］に記載の電圧ジェネレータ。
［Ｃ１０］
前記スイッチング段の電源入力に接続された電圧源が設けられている、前記第２の抵抗器の前記第２の端子は、電気的接地に接続され、出力電圧は、前記インダクタの前記第２の端子において接続された負荷において形成される、［Ｃ］のうちのいずれか一項に記載の電圧ジェネレータを備える、［Ｃ１］乃至［Ｃ７］のうちのいずれか一項に記載の電圧レギュレータを含む被調整降圧回路。
［Ｃ１１］
電源電圧が前記第２の端子に接続され、前記第２の抵抗器の前記第２の端子が、前記スイッチング段の電源入力に接続され、出力電圧が、前記スイッチング段の前記電源入力に接続された負荷に形成される、［Ｃ１］乃至［Ｃ７］のうちのいずれか一項に記載の電圧レギュレータを含み被調整昇圧回路。
［Ｃ１２］
出力電圧を生成するためのスイッチング段を含む、電圧レギュレータのための方法であって、前記方法は、フィードバック経路で前記スイッチング段を制御することと、前記フィードバック経路においてフィードバック信号をランプ補償することとを備え、前記ランプ補償は、前記スイッチング段の出力に基づく、方法。
［Ｃ１３］
前記フィードバック信号は、前記スイッチング段の前記出力に流入する前記電流の表現にランプ補償を適用することで生成される、［Ｃ１２］に記載の方法。
［Ｃ１４］
前記スイッチング段に接続された第１の端子と、電圧に接続された第２の端子とを有するインダクタと、前記インダクタ全体に並列に接続された、直列接続した第１の抵抗器及び第１のキャパシタとが設けられおり、ここにおいて、前記スイッチング段の前記出力に流入する前記電流の前記表現は、前記第１のキャパシタ全体の電圧差を測定することで取得される、［Ｃ１３］に記載の方法。
［Ｃ１５］
前記インダクタの前記第２の端子に接続された第１の端子を有する第２のキャパシタと、前記第２のキャパシタの前記第２の端子に接続された第１の端子を有する第２の抵抗器とが設けられており、前記第２のキャパシタ及び前記第２の抵抗器は、スロープ信号を生成するためのものである、［Ｃ１４］に記載の方法。
［Ｃ１６］
前記第１の抵抗器と前記第１のキャパシタとの間の前記接続点に接続された第１の入力と、前記第２のキャパシタと前記第２の抵抗器との間に前記接続点に接続された第２の入力とを有するフィードバックコンパレータが設けられており、前記コンパレータの前記出力は、前記フィードバック信号を生成する、［Ｃ１５］に記載の方法。
［Ｃ１７］
前記第２のキャパシタと並列に接続されたスイッチが設けられており、ここにおいて、前記スイッチが開いているとき、前記コンパレータは、前記インダクタに流入する前記電流を表すフィードバック信号を供給し、前記スイッチが開いているとき、前記コンパレータは、前記ランプ補償済みのフィードバック信号を生成する、［Ｃ１６］に記載の方法。
［Ｃ１８］
前記スイッチは、前記スイッチャブロックの前記出力が電気的接地に接続されるときに前記スイッチが閉じられ、前記スイッチャブロックの前記出力が電気的接地に接続されないときに前記スイッチが開けられるように制御される、［Ｃ１７］に記載の方法。
［Ｃ１９］
比較電圧を供給するために前記出力電圧を基準電圧と比較するための第１のコンパレータと、前記比較電圧を前記ランプ補償済みのフィードバックと比較することと、前記スイッチング段に制御入力を供給することとを行うための第２のコンパレータとを更に備える、［Ｃ１２］乃至［Ｃ１８］のうちのいずれか一項に記載の方法。
［Ｃ２０］
線形増幅器及び電力増幅器と、前記電力増幅器は、増幅されることとなる信号を受けるためのものであり、前記線形増幅器は、増幅されることとなる前記信号のエンベロープを受けるものである、前記線形増幅器の前記出力と前記インダクタの前記第２の端子との間に接続された第３のキャパシタと、前記インダクタの前記第２の端子は、前記電力増幅器の電源入力に接続されている前記キャパシタ全体に並列に接続されており、前記フィストコンパレータに接続された出力を有する第３のコンパレータとを更に含み、ここにおいて、前記基準電圧は、前記第３のキャパシタ全体に生じることとなる所望の電圧を示す、［Ｃ１９］に記載の方法。
［Ｃ２１］
前記スイッチング段の電源入力に接続された電圧源が設けられている、前記第２の抵抗器の前記第２の端子は、電気的接地に接続され、出力電圧は、前記インダクタの前記第２の端子において接続された負荷において形成される、［Ｃのうちのいずれか一項］に記載の電圧ジェネレータを備える、［Ｃ１２］乃至［Ｃ１８］のうちのいずれか一項に記載の電圧レギュレータを含む被調整降圧回路。
［Ｃ２２］
電源電圧が前記第２の端子に接続され、前記第２の抵抗器の前記第２の端子が、前記スイッチング段の電源入力に接続され、出力電圧が、前記スイッチング段の前記電源入力において接続された負荷において形成される、［Ｃ１２］乃至［Ｃ１８］のうちのいずれか一項に記載の電圧レギュレータを含み被調整昇圧回路。